(57)【要約】【課題】外観性に優れ、かつ耐水性の高い計量箱を提供する。【解決手段】筐体３と、前記筐体３に設けられ、内部を透過し得る窓部２とを具備し、電源線や情報線等の電線を住宅敷地内に引き込むために立設される電線引込ポール１に取り付けられ、内部に電力計を収納する計量箱１０であって、前記窓部２が、透光性の板状体３２と、前記板状体の相対向する少なくとも２辺を挟み込み支持する断面コの字状の支持具３１とを具備し、前記支持具３１が背面側で前記筐体３に固定される。【選択図】図４
2011030305.tif 000002
【特許請求の範囲】
【請求項１】
筐体と、前記筐体に設けられ、内部を透過し得る窓部とを具備し、
電源線や情報線等の電線を住宅敷地内に引き込むために立設される電線引込ポールに取り付けられ、内部に電力計を収納する計量箱であって、
前記窓部が、透光性の板状体と、前記板状体の相対向する少なくとも２辺を挟み込み支持する断面コの字状の支持具とを具備し、
前記支持具が背面側で前記筐体に固定された計量箱。
【請求項２】
請求項１に記載の計量箱であって、
前記窓部が矩形であり、前記板状体の相対向する２辺が前記コの字状の支持具で支持された計量箱。
【請求項３】
請求項１または２に記載の計量箱であって、
前記筐体は前記窓部の前記２辺に相当する位置に、内方に突出する支持辺を具備し、前記支持辺に設けられた孔から、前記支持具に設けられた孔に貫通するボルトによって前記筐体に前記板状体が固定された計量箱。
【請求項４】
請求項１乃至３のいずれかに記載の計量箱であって、
前記板状体の周縁部が枠状の弾性体を介して前記筐体に支持されており、
前記板状体は、前記弾性体を遮蔽する黒色印刷領域を具備した計量箱。
【請求項５】
請求項１乃至４のいずれかに記載の計量箱であって、
前記板状体は、透光性のガラス板で構成され、
前記支持具は耐食性処理のなされた金具で構成された計量箱。
【発明の詳細な説明】
【技術分野】
【０００１】
本発明は、計量箱に係り、特に、電源線や情報線等の電線を住宅敷地内に引き込むために立設される電線引込ポールに取り付けられる計量箱に関する。
【背景技術】
【０００２】
本発明は、電源線や情報線等の電線を住宅敷地内に引き込むために立設される電線引込ポールに関するものである。
【０００３】
図１４に示すように、上端付近に電線引込口１０１を有する中空状のポール本体１０２と、このポール本体１０２の中程に連通接続されて付設される計量箱としてのボックス１０３と、を備えた電線引込ポールが提案されている（特許文献１）。
【０００４】
この場合、ボックス１０３内には電力量計１１１が収容設置されており、電線引込口１０１から引き込まれた主電線１０５は、同電力量計１１１を介し送電線１２９として屋内配線へと導出配線される。又、ポール本体１０２の中程周壁にポール側開口１１３が形成され、ボックス１０３の外殻壁にボックス側開口１１４が形成され、同ポール側開口１１３とボックス側開口１１４とがパッキン部材１１５を介し密閉状に連通接続されて、このボックス１０３は同ポール本体１０２の中程に取付具１２３を介して取り付けられている。
【０００５】
したがって、この電線引込ポールにおいては、ポール本体１０２やボックス１０３から送電線１２９を引き出すことなく屋内配線へと配線することができるため、電線の保護が完全になると共に外観の向上を実現することができ、電線の節約も達成し得るようになる。
【０００６】
また、図１５に示すように、ボックス１０３内にコンセント１０４を収容設置し、電線引込口１０１から引き込まれた主電線１０５を分岐して、一方の分岐線１０６ａをこのコンセント１０４に接続し、他方の分岐線１０６ｂを屋内配線１０７へと導出配線し、同コンセント１０４にプラグ１０８で接続される引出線１０９を外部へと引き出す電線引出口１１０をポール本体１０２又はボックス１０３に形成した構造も提案されている（特許文献２）。
【０００７】
また、住宅敷地外から引き込まれる主電線１０５は、建物Ｈの外壁に取り付けられた電力量計１１１を介して屋内配線１０７に接続されている。そして、屋内配線１０７では、分電盤１２０が設けられ、この分電盤１２０に設けられる主幹ブレーカ１１２ａ及び複数の分岐ブレーカ１１２ｂを介して複数のコンセント１０４が配設されており、このコンセント１０４の一つに前記機器用電線１０９と地中埋設配線１１９を介して連結されるプラグ１０８が接続されている。この構成によれば、ボックス内に設けたコンセント１０４から簡単に電源供給を受けることができる。
【０００８】
このような電線引き込みポールのボックス１０３は図１６（ａ）および（ｂ）に正面図および側面図を示すように、正面に窓１３０を有しており、窓１３０の周縁全体にわたって枠体１３１が形成されている。
【先行技術文献】
【特許文献】
【０００９】
【特許文献１】特開昭５９−０８９５１４号公報
【特許文献２】特開２００４−０８８８５４号公報
【発明の概要】
【発明が解決しようとする課題】
【００１０】
この構造では、枠体１３１が窓１３０の全周にわたって形成されており、結果として全周にある枠体１３１が目立つ上、枠幅が大きく、外観が悪いという問題があった。
また、屋外に配設されるものであるため、耐水性の向上を企図して窓１３０の全周にわたって防水パッキンが設けられているが、この防水パッキンも、美観を損ねる原因となっていた。
電線引き込みポールは、家の表側で特に外から見える位置に配置されることから、デザイン性においては、他の構造物に比べて、外観上いかに見えるかという点は、常に配慮がなされていなければならない部分であった。
本発明は前記実情に鑑みてなされたもので、外観性に優れ、かつ耐水性の高い計量箱を提供することを目的とする。
【課題を解決するための手段】
【００１１】
そこで本発明は、筐体と、前記筐体に設けられ、内部を透過し得る窓部とを具備し、電源線や情報線等の電線を住宅敷地内に引き込むために立設される電線引込ポールに取り付けられ、内部に電力計を収納する計量箱であって、前記窓部が、透光性の板状体と、前記板状体の相対向する少なくとも２辺を挟み込み支持する断面コの字状の支持具とを具備し、前記支持具が背面側で前記筐体に固定されたことを特徴とする。
この構成によれば、窓を構成する透光性の板状体を断面コの字状の支持具を用い、この支持具の背面側で前記筐体に固定することで、しっかりと支持できるため、窓枠部分の面積を小さくすることができ、窓枠部分が目立たなくなり、耐水性を維持しつつもすっきりとした外観を得ることが可能となる。
【００１２】
また、本発明は、上記計量箱において、前記窓部が矩形であり、前記板状体の相対向する２辺が前記コの字状の支持具で支持されたものを含む。
この構成によれば、最低限の支持でよりすっきりとした外観を得ることができる。ここで支持具は、矩形を構成する長辺と短辺のうち短片側に配することで、よりすっきりとした外観を得ることができる。
【００１３】
また、本発明は、上記計量箱において、前記筐体は前記窓部の前記２辺に相当する位置に、内方に突出する支持辺を具備し、前記支持辺に設けられた孔から、前記支持具に設けられた孔に貫通するボルトによって前記筐体に前記板状体が固定されたものを含む。
この構成により、内方に突出する支持辺を具備しているため、この支持辺に支持具を当接させ、支持具の支持辺に設けられた孔に貫通するボルトによって板状体を固定しているため、小面積で確実な固定をすることができる。
【００１４】
また、本発明は、上記計量箱において、前記板状体の周縁部が枠状の弾性体を介して前記筐体に支持されており、前記板状体は、前記弾性体を遮蔽する黒色印刷領域を具備したものを含む。
この構成により、弾性体を用いて弾性的に接することで、密着性よく板状体を固定することができるとともに、弾性体の部分は黒色印刷領域によって遮蔽しているため、美観を損なうことなく、耐水性に優れた計量箱を形成することが可能となる。
【００１５】
また、本発明は、上記計量箱において、前記板状体は、透光性のガラス板で構成され、前記支持具は耐食性処理のなされた金具で構成されたものを含む。
この構成により、物性的に安定なガラス板と、支持具を用いていることで、耐久性が向上し、信頼性の高い計量箱を提供することが可能となる。
【発明の効果】
【００１６】
以上説明してきたように、本発明によれば、外観性に優れ、耐久性の高い計量箱を得ることができる。
【図面の簡単な説明】
【００１７】
【図１】本実施の形態１の計量箱を示す図、（ａ）はこの計量箱の正面図、（ｂ）はこの計量箱の側面図
【図２】同計量箱の斜視図
【図３】同計量箱の窓部の組み立て工程を示す図
【図４】同計量箱の窓部の組み立て工程を示す図
【図５】同計量箱の窓部の組み立て工程を示す図
【図６】同計量箱の窓部を示す説明図
【図７】図６のＡ−Ａ断面図
【図８】図７の要部拡大図
【図９】本実施の形態１の計量箱を構成するコの字状の支持具を示す図
【図１０】本実施の形態１の計量箱を構成するガラス製の板状体を示す図
【図１１】本実施の形態１の計量箱を電線引込ポールに装着した状態を示す外観図
【図１２】同計量箱の内部を示す図
【図１３】本実施の形態２の計量箱を示す正面図
【図１４】従来例の電線引込ポールを示す図
【図１５】住宅配線構造を示す図
【図１６】従来例の計量箱を示す図
【発明を実施するための形態】
【００１８】
以下、本発明の実施の形態について図面を参照しつつ詳細に説明する。
図１（ａ）および（ｂ）は本実施の形態１の計量箱１０を示す正面図および側面図、図２は、同計量箱の斜視図、図３乃至図５は同計量箱の窓部の組み立て工程を示す図、図６は窓部を示す説明図、図７は図６のＡ−Ａ断面図、図８は図７の要部拡大図、図９はここで用いられるコの字状の支持具を示す図、図１０はここで用いられるガラス製の板状体を示す図、図１０はここで用いられるガラスであり黒色印刷領域を持つものを示す。図１１はこの計量箱を電線引込ポールに装着した状態を示す外観図、図１２は計量箱の内部を示す図である。
【００１９】
この計量箱１０は、図１および２に示すように、本体３ａと蓋体３ｂとからなる筐体３と、この蓋体３ｂに設けられ、内部を透過し得る窓部２とを具備し、内部に電力計（１３：図１２参照）を収納する。そしてこの窓部２は、透光性の板状体としてのガラス板３２と、このガラス板３２の相対向する少なくとも２辺を挟み込み支持する断面コの字状の金具からなる支持具３１とを具備し、この支持具３１が背面側で筐体３に固定される。そしてこの支持具３１は耐食性処理のなされた金具で構成される。
【００２０】
なおこの計量箱１０は図１１に示すように、電源線や情報線等の電線を住宅敷地内に引き込むために立設される電線引込ポール１に取り付けられる。
【００２１】
そして、図３乃至５に、製造工程に沿って分解斜視図を示すように、この窓部２は矩形であり、このガラス板３２の相対向する２辺が前記コの字状の支持具３１で支持されている。図３は計量箱の外側からみた分解斜視図、図４は計量箱の内側からみた分解斜視図であり、ガラス板３２の相対向する２辺である、短辺側にコの字状の支持具３１を装着する。
【００２２】
そして、図５に示すように、筐体３は前記窓部２の前記２辺に相当する位置に、内方に突出する支持辺３Ｓを具備している。そこで、この２つの短辺にコの字状の支持具３１を装着したガラス板３２を、筐体３の蓋体３ｂの窓部２の支持辺３Ｓに載せる。
こののち、内側からボルト３６を差し込み、支持辺３Ｓに設けられた孔Ｈ１から、支持具３１に設けられた孔Ｈ２に貫通するボルト３６によって、筐体３の支持辺３Ｓにガラス板３２が固定される（図４参照）。
【００２３】
組み立て後の状態を、図７に断面図、図８に要部拡大断面図で示す。図９はコの字状の支持具３１の６面図であり、（ａ）は上面図、（ｂ）は正面図、（ｃ）は下面図、（ｄ）は背面図、（ｅ）は右側面、（ｆ）は左側面図である。
図８に示すように、ボルト３６によって、筐体３の内側から支持辺３Ｓに設けられた孔Ｈ１、支持具３１に設けられた孔Ｈ２、ガラス板の穴Ｈ３を貫通して、支持具３１が支持辺３Ｓに固定される。これにより、筐体３の支持辺３Ｓにガラス板３２が固定される。また、図７に示すように、筐体の表面とガラス板３２の表面はほぼ一致するように構成されている。
【００２４】
また、図６に示すように、ガラス板３２の周縁部が枠状の弾性体としてのゴムパッキン３３を介して筐体３に支持されており、板状体は、弾性体を遮蔽する黒色印刷領域３４を具備している（図８参照）。この黒色印刷領域３４は、ガラス板にスクリーン印刷あるいは、厚膜印刷を行うことによって形成されるが、所望の大きさに切断する前に、マザーガラス上に印刷した後、切断するようにしてもよい。
【００２５】
図１０はガラス板を示す図であり、（ａ）は上面図、（ｂ）は右側面図、（ｃ）は下面図である。このガラス板３２は、透光性のガラス基板で構成され、下面側に、黒色印刷によって形成された黒色印刷領域３４を具備し、かつ孔Ｈ３を有している。この穴Ｈ３をビスが貫通することで、確実にガラス板３２が固定される。
また図１２は蓋体３ｂを外した状態の計量箱３を示す図であり、電力量計１３が内蔵されていることがわかる。
【００２６】
この構成によれば、窓を構成する透光性の板状体を断面コの字状の支持具を用い、この支持具の背面側で前記筐体に固定することで、しっかりと支持できるため、窓枠部分の面積を小さくすることができ、窓枠部分が目立たなくなり、耐水性を維持しつつもすっきりとした外観を得ることが可能となる。
【００２７】
また、弾性体を介在させてガラス板を筐体に対して弾性的に当接させることで、密着性よくガラス板３２を固定することができ、水分の侵入を防止することができる。また、弾性体の部分は黒色印刷領域によって遮蔽しているため、美観を損なうことなく、耐水性に優れた計量箱を形成することが可能となる。
また、物性的に安定なガラス板と、表面をメッキ被覆して耐食性を高めた支持具を用いていることで、耐久性が向上し、信頼性の高い計量箱を提供することが可能となる。
【００２８】
なお、この計量箱１０は、従来例と同様、電線引込ポール１に装着されている。そしてこの電線引込ポール１は、上端付近に電線引込口を有する中空状のポール本体で構成され、このポール本体の中程に計量箱１０が連通接続されて付設される。そして、この電線引込ポールにおいて、計量箱１０内にコンセントを収容設置し、電線引込口から引き込まれた主電線を分岐して、一方の分岐線をこのコンセントに接続し、他方の分岐線を屋内配線へと導出配線し、同コンセントにプラグで接続される引出線を外部へと引き出す電線引出口をポール本体又は計量箱１０に形成するものである。
家屋の前面など、目立つところに設置されても、外観がきわめて良好で、かつ耐水性に優れているため、長期にわたり、家屋のシンボルとしても使用されるものとなる。
【００２９】
（実施の形態２）
前記実施の形態１では、１つの計量箱１０に矩形の窓部２を１つ形成した例について説明したが、これに限定されることなく、正方形の窓でもよい。
本発明の実施の形態２として、図１３に示すように、２つの正方形の窓部を２個並置したものも有効である。コの字状の支持具３１を相対向する２辺に設けることで、支持性が良好でかつ外観性に優れた計量箱を提供することができる。
なお、窓部の形状以外は、前記実施の形態１と同様であるため、ここでは説明を省略する。
【００３０】
以上説明してきたように、本発明の計量箱は、簡単な構成で、耐久性が高く外観性に優れたものとなっている。
なお、前記実施の形態では、黒色印刷領域３４を形成するにあたり、黒色インクを用いて黒色印刷を行ったが、本実施の形態では、メッシュ布などを貼着してもよい。
【００３１】
また、前記実施の形態１および２では、支持具を金属で構成したが、樹脂製であってもよくまた、金属板を形状加工したものに樹脂被覆したものも有効である。
さらにまた、前記実施の形態では、窓部を構成する透光性の板状体としてガラス板を用いたが、ガラス板に限定されることなく、透光性の樹脂基板を用いるなど、他の材料であってもよいことはいうまでもない。
【００３２】
さらにまた、前記実施の形態では、窓部の形状については、長方形および長方形の場合について説明したが、上記形状に限定されることなく、八角形、六角形、あるいは変形体などにも適用可能であり、窓部の周縁全体に枠体を配設することなく、耐水性及び支持性を高め、外観性に優れた窓部を提供することが可能となる。
【００３３】
加えて、本発明の窓部の構造は、計量箱に限定されることなく、窓部を有する他の装置にも適用可能である。
【符号の説明】
【００３４】
１  電線引込ポール
２  窓部
３  筐体
３ａ  筐体本体
３ｂ  蓋体
３Ｓ  支持辺
１０  計量箱
３１  支持具
３２  ガラス板
３３  弾性体（ゴムパッキン）
３４  黒色印刷領域
Ｈ１，Ｈ２，Ｈ３  孔
３６  ボルト
１０１  電線引込口
１０２  ポール本体
１０３  ボックス
１０４  コンセント
１０５  主電線
１０６ａ  分岐線
１０６ｂ  分岐線
１０７  屋内配線
１０８  プラグ
１０９  引出線
１１０  電線引出口
１１１  電力量計
１１２ａ主幹ブレーカ
１１２ｂ分岐ブレーカ
１１３  ポール側開口
１１４  ボックス側開口
１１５  パッキン部材
【図１】
2011030305.tif 000003
【図２】
2011030305.tif 000004
【図３】
2011030305.tif 000005
【図４】
2011030305.tif 000006
【図５】
2011030305.tif 000007
【図６】
2011030305.tif 000008
【図７】
2011030305.tif 000009
【図８】
2011030305.tif 000010
【図９】
2011030305.tif 000011
【図１０】
2011030305.tif 000012
【図１１】
2011030305.tif 000013
【図１２】
2011030305.tif 000014
【図１３】
2011030305.tif 000015
【図１４】
2011030305.tif 000016
【図１５】
2011030305.tif 000017
【図１６】
2011030305.tif 000018